(57)【要約】【課題】容易に血圧の変化を把握できると共に、利便性が高い血圧管理ボードを提供する。【解決手段】血圧管理ボード１は、透明な平板状の本体部１０と、本体部１０に設けられ、血圧値に対応する所定間隔の目盛りが形成された目盛り部２０と、本体部１０の表面に設けられ、目盛りに対応づけて血圧の変化を記入可能な記入部３０とを備え、記入部３０に記入された血圧の変化は、消去可能である。【選択図】図１
0003205177.tif 000002
【実用新案登録請求の範囲】
【請求項１】
透明な平板状の本体部と、
前記本体部に設けられ、血圧値に対応する所定間隔の目盛りが形成された目盛り部と、
前記本体部の表面に設けられ、前記目盛りに対応づけて血圧の変化を記入可能な記入部と、を備え、
前記記入部に記入された前記血圧の変化は、消去可能である、血圧管理ボード。
【請求項２】
前記目盛りは、上の血圧に対応する第１目盛線と、下の血圧に対応する第２目盛線とを含み、
前記記入部には、前記第１目盛線及び前記第２目盛線に対応づけて血圧の変化が記入される、
請求項１に記載の血圧管理ボード。
【請求項３】
前記目盛り部は、前記第１目盛線における第１所定値と前記第２目盛線における第２所定値とを境界とした複数の分割領域を含み、
前記複数の分割領域の表示形態が、互いに識別できるように異なっている、
請求項２に記載の血圧管理ボード。
【考案の詳細な説明】
【技術分野】
【０００１】
本考案は、血圧を管理可能な血圧管理ボードに関する。
【背景技術】
【０００２】
近年、病気の予防の観点等から、健康管理の重要性が指摘されている。そして、健康管理のために、血圧や脈拍数の測定が行われている。測定された日々の血圧値等は、例えばノートに記入して記録されている。
【先行技術文献】
【特許文献】
【０００３】
【特許文献１】特開２００４−１２２４４６号公報
【考案の概要】
【考案が解決しようとする課題】
【０００４】
しかし、ノートに血圧値を記入する場合には、保管するには適しているが、血圧の変化を一目で把握し難い。例えば、１ヶ月間での血圧の変化の推移を把握し難い。また、血圧を測定する回数が増えていくと、ノートも増えるため、ノートの管理が煩雑となってしまう。
【０００５】
そこで、本考案はこれらの点に鑑みてなされたものであり、容易に血圧の変化を把握できると共に、利便性が高い血圧管理ボードを提供することを目的とする。
【課題を解決するための手段】
【０００６】
本考案の一の態様においては、透明な平板状の本体部と、前記本体部に設けられ、血圧値に対応する所定間隔の目盛りが形成された目盛り部と、前記本体部の表面に設けられ、前記目盛りに対応づけて血圧の変化を記入可能な記入部と、を備え、前記記入部に記入された前記血圧の変化は、消去可能である、血圧管理ボードを提供する。
【０００７】
また、前記目盛りは、上の血圧に対応する第１目盛線と、下の血圧に対応する第２目盛線とを含み、前記記入部には、前記第１目盛線及び前記第２目盛線に対応づけて血圧の変化が記入されることとしてもよい。
【０００８】
また、前記目盛り部は、前記第１目盛線における第１所定値と前記第２目盛線における第２所定値とを境界とした複数の分割領域を含み、前記複数の分割領域の表示形態が、互いに識別できるように異なっていることとしてもよい。
【考案の効果】
【０００９】
本考案によれば、容易に血圧の変化を把握できると共に、利便性が高い血圧管理ボードを提供できるという効果を奏する。
【図面の簡単な説明】
【００１０】
【図１】本考案の一の実施形態に係る血圧管理ボード１を表面側から見た図である。
【図２】血圧管理ボード１を側面から見た図である。
【図３】血圧管理ボード１を背面側から見た図である。
【図４】血圧管理ボード１の使用例を説明するための図である。
【考案を実施するための形態】
【００１１】
＜血圧管理ボードの構成＞
図１〜図３を参照しながら、本考案の一の実施形態に係る血圧管理ボード１の構成について説明する。
【００１２】
図１は、一の実施形態に係る血圧管理ボード１を表面側から見た図である。図２は、血圧管理ボード１を側面から見た図である。図３は、血圧管理ボード１を背面側から見た図である。
【００１３】
血圧管理ボード１は、使用者が日々測定した血圧を管理し、使用者の血圧の変化を容易に把握するためのものである。血圧管理ボード１は、図１に示すように、本体部１０と、目盛り部２０と、記入部３０とを有する。
【００１４】
本体部１０は、透明な平板部材から成る。例えば、本体部１０は、アクリル材から成り、図２に示すように所定の厚さを有する。また、本体部１０は、矩形状に形成されており、ここではＡ４サイズである。ただし、これに限定されず、Ａ４以外のサイズであっても良い。
【００１５】
目盛り部２０は、本体部１０に形成されており、血圧値に対応する所定間隔の目盛りを有する。目盛り部２０は、本体部１０の表面１１に形成されてもよいし、本体部１０の背面１２（図２）に形成されてもよい。本体部１０が透明なアクリル材から成るので、使用者は目盛り部２０の目盛りを認識しやすい。
【００１６】
目盛り部２０は、互いに直交する横目盛線２１と縦目盛線２２とを有する。横目盛線２１は、上の血圧に対応する第１目盛線であり、グラフの縦方向に所定間隔で引かれた複数の横線である。縦目盛線２２は、下の血圧に対応する第２目盛線であり、グラフの横方向に所定間隔で引かれた複数の縦線である。なお、上の血圧とは、心臓が収縮したときの血圧（収縮期血圧）であり、下の血圧とは、心臓が拡張したときの血圧（拡張期血圧）である。別言すれば、上の血圧は、心臓が血液を送り出すときの血圧であり、下の血圧は、心臓が送り出す血圧をためているときの血圧である。
【００１７】
目盛り部２０は、横目盛線２１における第１所定値（血圧値が１４０）と縦目盛線２２における第２所定値（血圧値が９０）とを境界とした４つの分割領域２４〜２７を含む。ここでは、分割領域２４は、上の血圧が１４０よりも大きく、かつ下の血圧が９０よりも大きい領域である。分割領域２５は、上の血圧が１４０よりも大きく、かつ下の血圧が９０よりも小さい領域である。分割領域２６は、上の血圧が１４０よりも小さく、かつ下の血圧が９０よりも大きい領域である。分割領域２７は、上の血圧が１４０よりも小さく、かつ下の血圧が９０よりも小さい領域である。
【００１８】
４つの分割領域２４〜２７の表示形態は、互いに識別できるように異なっている。具体的には、４つの分割領域２４〜２７はそれぞれ色が付されており、隣接する分割領域の色が異なる。例えば、分割領域２４は赤色であり、分割領域２５、２６は黄色であり、分割領域２７は水色である。これにより、測定した血圧値が４つの分割領域２４〜２７のうちのどの分割領域に位置するかを容易に把握できる。
【００１９】
記入部３０は、ここでは本体部１０の表面１１の部分である。使用者は、例えば消去可能なマジックペンで記入部３０に記入する。使用者は、日々の血圧の測定結果を記入部３０上に、マジックペンでプロットする。例えば、測定結果として上の血圧が１５０で、かつ下の血圧が８０である場合には、使用者は、２つの値が交差する点にプロットする。このように日々の血圧の測定結果をプロットすることで、記入部３０には、目盛り部２０の目盛り（すなわち、横目盛線２１及び縦目盛線２２）に対応づけて血圧の変化が記入される。これにより、使用者は、日々の血圧の変化を容易に把握できる。
【００２０】
なお、使用者は、朝と夜に測定した血圧をそれぞれ記入部３０にプロットしてもよい。例えば、使用者は、朝の血圧を「・」でプロットし、夜の血圧を「×」でプロットしてもよい。また、使用者は、複数の月の血圧をプロットする場合には、月毎に異なる色でプロットしてもよい。例えば、４〜６月の血圧をプロットする場合には、４月は赤色でプロットし、５月は黒色でプロットし、６月は青色でプロットしてもよい。
【００２１】
図４は、血圧管理ボード１の記入例を説明するための図である。
ここでは、説明の便宜上、朝の血圧が記入部３０に記入されるものとして説明する。使用者は、図４に示すように、測定した朝の血圧を、目盛り部２０に対応付けて「・」でプロットする。ところで、４つの分割領域２４〜２７のうちの分割領域２４〜２６の領域に血圧がプロットされる場合には、前日の血圧をプロットした「・」との間で線を結ぶ。例えば、図４に示すように、分割領域２４に点Ｐ２をプロットした場合には、前日にプロットした点Ｐ１との間に線を結ぶ。これにより、血圧の急変の度合いを把握しやすい。この際、プロットした「・」の横に、血圧を測定した日を記入すると共に、血圧と共に測定した脈拍数を記入してもよい。
【００２２】
また、記入部３０に記入された血圧の変化（プロットした点等）は、消去可能である。例えば、使用者は、４〜６月の血圧の測定が完了した場合には、記入部３０をコピーした後に、マジックペンで記入されたもの（具体的には、プロットした「・」等）を消去する。これにより、使用者は、７月以降の血圧を記入する際に、血圧管理ボード１を再度使用できる。すなわち、使用者は、一つの血圧管理ボード１で継続して血圧を管理することができる。
【００２３】
また、記入部３０の上部には、使用者が自己の氏名を記入したり、血圧を測定した月を記入したりするスペースがある。また、記入部３０の下部には、使用者が使用している薬を記入するスペースがある。
【００２４】
本体部１０の背面１２側には、図３に示すように、血圧管理ボード１の使用方法が記載されている。具体的には、血圧管理ボード１の使用方法が記載された紙４０が、本体部１０の背面１２（図２）に貼り付けられている。かかる場合には、使用者は、血圧管理ボード１を裏返すだけで、血圧管理ボード１の使用方法を容易に把握できる。
【００２５】
＜本実施形態における効果＞
上述したように、本実施形態に係る血圧管理ボード１は、透明な本体部１０と、本体部１０に設けられた目盛り部２０と、目盛り部２０の目盛りに対応づけて血圧の変化を記入可能な記入部３０とを有する。そして、記入部３０に記入された血圧の変化は、消去可能である。
かかる場合には、使用者は、記入部３０に記入された血圧の変化を見ることで、日々の血圧の変化を容易に把握できる。また、記入部３０に記入された血圧の変化は消去可能であることで、血圧管理ボード１を再度使用できる。これにより、使用者は、一つの血圧管理ボード１で継続して血圧を管理することができるので、血圧管理ボード１の利便性が高まる。
【００２６】
以上、本考案を実施の形態を用いて説明したが、本考案の技術的範囲は上記実施の形態に記載の範囲には限定されない。上記実施の形態に、多様な変更又は改良を加えることが可能であることが当業者に明らかである。そのような変更又は改良を加えた形態も本考案の技術的範囲に含まれ得ることが、実用新案登録請求の範囲の記載から明らかである。
【符号の説明】
【００２７】
１    血圧管理ボード
１０    本体部
２０    目盛り部
２１    横目盛線
２２    縦目盛線
２４〜２７    分割領域
３０    記入部
【図１】
0003205177.tif 000003
【図２】
0003205177.tif 000004
【図３】
0003205177.tif 000005
【図４】
0003205177.tif 000006